(57)【要約】【課題】製品の寸法精度が悪く、また、温度湿度の周囲環境や経年変化によって反りや歪みが生じ易い木製建具の場合であっても、十分な振れ止め効果を得られるとともに、木製建具の移動に支障を来すことのない木製建具の振れ止め装置を提供すること。【解決手段】レール１、２に沿って移動可能に設けられた木製建具３に、振れ止め部材４を配設するようにし、この振れ止め部材４が、鉛直軸の周りに回転対称となる外形状をするとともに、レール１、２に嵌合する溝部が、鉛直軸の中心を通る溝幅の異なる複数の溝部４１ａ、４１ｂからなる。【選択図】図１
2015030980.tif 000002
【特許請求の範囲】
【請求項１】
レールに沿って移動可能に設けられた木製建具に、レールに嵌合する溝部を形成した振れ止め部材を配設するようにした木製建具の振れ止め装置において、振れ止め部材が、鉛直軸の周りに回転対称となる外形状をし、レールに嵌合する溝部が、前記鉛直軸の中心を通る溝幅の異なる複数の溝部からなることを特徴とする木製建具の振れ止め装置。
【請求項２】
前記溝部の溝幅のうち、最小の溝幅を、レールの厚み寸法よりも、０．２〜０．８ｍｍ大きく設定するとともに、最大の溝幅を、最小の溝幅よりも、０．５〜１．５ｍｍ大きく設定するようにしたことを特徴とする請求項１記載の木製建具の振れ止め装置。
【請求項３】
前記振れ止め部材を、木製建具に形成した穴部に挿入し、振れ止め部材の中心に形成した貫通孔を通してビスにより木製建具に固定するようにしたことを特徴とする請求項１又は２記載の木製建具の振れ止め装置。
【発明の詳細な説明】
【技術分野】
【０００１】
本発明は、木製建具の振れ止め装置に関し、特に、レールに沿って移動可能に設けられた木製建具に、レールに嵌合する溝部を形成した振れ止め部材を配設するようにした木製建具の振れ止め装置に関するものである。
【背景技術】
【０００２】
従来、レールに沿って移動可能に設けられた建具の場合、建具にレールに嵌合するスリット溝を形成し、スリット溝をレールに嵌合させることによって、建具の振れ止めをする振れ止め構造を採用するようにしたり、建具にレールに嵌合する溝部を形成した振れ止め部材を配設し、この振れ止め部材の溝部をレールに嵌合させることによって、建具の振れ止めをする振れ止め装置を採用するようにしていた（例えば、特許文献１参照。）。
【先行技術文献】
【特許文献】
【０００３】
【特許文献１】実開平４−７９１８１号公報
【発明の概要】
【発明が解決しようとする課題】
【０００４】
しかしながら、木製引戸や木製窓建具のような木製建具（本明細書において、単に、「木製建具」という。）の場合、金属製建具と比較して、製品の寸法精度が悪く、また、温度湿度の周囲環境や経年変化によって反りや歪みが生じ易いため、上記従来の建具の振れ止め構造や振れ止め装置を適用しても、建具や振れ止め装置とレールとのクリアランスが大きくなって、十分な振れ止め効果を得られなかったり、建具や振れ止め装置とレールとの接触による軋みが発生すること等によって、木製建具をレールに沿って安定して移動することができず、木製建具の移動に支障を来すことがあった。
【０００５】
なお、建具の戸先又は戸尻（木口）側から取り付けられ、出入り方向の調整が可能なる振れ止め部材金具も提案されているが、この振れ止め部材金具は、製品コストが高く、しかも、建具の木口面に取り付けられる指詰め防止パッキンの取付の支障になるという問題があった。
【０００６】
本発明は、上記従来の建具の振れ止め構造や振れ止め装置の有する問題点に鑑み、簡易な構造で、かつ、安価な振れ止め部材を用いることによって、製品の寸法精度が悪く、また、温度湿度の周囲環境や経年変化によって反りや歪みが生じ易い木製建具の場合であっても、十分な振れ止め効果を得られるとともに、木製建具の移動に支障を来すことのない木製建具の振れ止め装置を提供することを目的とする。
【課題を解決するための手段】
【０００７】
上記目的を達成するため、本発明の木製建具の振れ止め装置は、レールに沿って移動可能に設けられた木製建具に、レールに嵌合する溝部を形成した振れ止め部材を配設するようにした木製建具の振れ止め装置において、振れ止め部材が、鉛直軸の周りに回転対称となる外形状をし、レールに嵌合する溝部が、前記鉛直軸の中心を通る溝幅の異なる複数の溝部からなることを特徴とする。
【０００８】
この場合において、前記溝部の溝幅のうち、最小の溝幅を、レールの厚み寸法よりも、０．２〜０．８ｍｍ大きく設定するとともに、最大の溝幅を、最小の溝幅よりも、０．５〜１．５ｍｍ大きく設定するようにすることができる。
【０００９】
また、前記振れ止め部材を、木製建具に形成した穴部に挿入し、振れ止め部材の中心に形成した貫通孔を通してビスにより木製建具に固定するようにすることができる。
【発明の効果】
【００１０】
本発明の木製建具の振れ止め装置によれば、レールに沿って移動可能に設けられた木製建具に、レールに嵌合する溝部を形成した振れ止め部材を配設するようにした木製建具の振れ止め装置において、振れ止め部材が、鉛直軸の周りに回転対称となる外形状をし、レールに嵌合する溝部が、前記鉛直軸の中心を通る溝幅の異なる複数の溝部からなるようにすることにより、振れ止め部材を回転させることによって、レールに嵌合する溝部として、溝幅の異なる複数の溝部の中から、振れ止め部材とレールとのクリアランスが最適となる溝幅の溝部を選択することができる。
これにより、簡易な構造で、かつ、安価な振れ止め部材を用いて、製品の寸法精度が悪く、また、温度湿度の周囲環境や経年変化によって反りや歪みが生じ易い木製建具の場合であっても、十分な振れ止め効果を得られるとともに、木製建具の移動に支障を来すことを防止することができる。
【００１１】
また、前記溝部の溝幅のうち、最小の溝幅を、レールの厚み寸法よりも、０．２〜０．８ｍｍ大きく設定するとともに、最大の溝幅を、最小の溝幅よりも、０．５〜１．５ｍｍ大きく設定するようにすることにより、より確実な振れ止め効果を得られるとともに、木製建具の移動に支障を来すことを防止することができる。
【００１２】
また、前記振れ止め部材を、木製建具に形成した穴部に挿入し、振れ止め部材の中心に形成した貫通孔を通してビスにより木製建具に固定するようにすることにより、振れ止め部材の木製建具への取付及び調節を簡易に行うことができる。
【図面の簡単な説明】
【００１３】
【図１】本発明の木製建具の振れ止め装置の一実施例を示し、（ａ）は要部の正面図、（ｂ）は側面図である。
【図２】同要部の底面図である。
【図３】振れ止め部材の一例を示し、（ａ）は正面図、（ｂ）は側面図、（ｃ）は底面図である。
【図４】振れ止め部材の変形例を示し、（ａ１）〜（ａ３）は正面図、（ｂ１）〜（ｂ３）は底面図である。
【図５】振れ止め部材の変形例を示し、（ａ）〜（ｂ）は正面図である。
【発明を実施するための形態】
【００１４】
以下、本発明の木製建具の振れ止め装置の実施の形態を、図面に基づいて説明する。
【００１５】
図１〜図３に、本発明の木製建具の振れ止め装置の一実施例を示す。
この木製建具の振れ止め装置は、建物の躯体開口部に上下に対向して敷設されたレール１、２に沿って移動可能に設けられた木製建具３に、振れ止め部材４を配設するようにしたもので、この振れ止め部材４が、鉛直軸の周りに回転対称となる外形状をするとともに、レール１、２にそれぞれ嵌合する溝部が、鉛直軸の中心を通る溝幅の異なる複数の溝部４１ａ、４１ｂからなるようにしている。
【００１６】
振れ止め部材４は、耐摩耗性に優れ、摩擦音の生じにくい、ポリアセタール（ＰＯＭ）、ポリアミド等の合成樹脂製のもののほか、アルミニウム、マグネシウム合金、亜鉛合金等の金属製のものや木製のものを用いることができる。
【００１７】
ところで、本実施例において、振れ止め部材４の溝部４１ａ、４１ｂは、それぞれスリット状のものからなるとともに、溝部４１ａの溝幅を、レール１、２の厚み寸法よりも、０．２〜０．８ｍｍ大きく設定する（本実施例においては、レール１、２の厚み寸法を２ｍｍ、溝部４１ａの溝幅を２．５ｍｍに設定している。）とともに、溝部４１ｂの溝幅を、溝部４１ａの溝幅よりも、０．５〜１．５ｍｍ大きく設定する（本実施例においては、溝部４１ｂの溝幅を３．５ｍｍに設定している。）ようにしている。
そして、図２に示すように、振れ止め部材４を固定しているビス５を緩めて、振れ止め部材４を９０°回転させることによって、レール１、２に嵌合する溝部として、溝幅の異なる複数の溝部４１ａ、４１ｂの中から、振れ止め部材４とレール１、２とのクリアランスが最適となる溝幅の溝部を選択することができる。
これにより、簡易な構造で、かつ、安価な振れ止め部材４を用いて、製品の寸法精度が悪く、また、温度湿度の周囲環境や経年変化によって反りや歪みが生じ易い木製建具３の場合であっても、十分な振れ止め効果を得られるとともに、木製建具３の移動に支障を来すことを防止することができる。
【００１８】
また、この実施例においては、図２に示すように、振れ止め部材４を配設した木製建具３の竪材３１に、振れ止め部材４の溝部４１ａ、４１ｂに連続するようにスリット溝３１ａを形成し、レール１、２に嵌合する構造としているが、このスリット溝３１ａの溝幅を、溝部４１ｂの溝幅よりも、０．２〜０．８ｍｍ大きく設定する（本実施例においては、スリット溝３１ａの溝幅を４．０ｍｍに設定している。）ようにしている。
これにより、必要に応じて、振れ止め部材４を取り外すことによって、レール１、２に嵌合する溝部として、スリット溝３１ａを選択することで、実質的に、３通りの溝幅に設定することができるものとなる。
【００１９】
また、この実施例において、振れ止め部材４は、外形状が円柱状のものからなり、木製建具３の竪材３１の上下両端面にドリル等によって形成した穴部３１ｂに挿入し、振れ止め部材４の中心に形成した貫通孔４２を通してビス５により木製建具３の竪材３１に固定するようにしている。
これにより、振れ止め部材４の木製建具３への取付及び調節を簡易に行うことができる。
また、振れ止め部材４を、木製建具３の竪材３１の上下両端面に配設されるため、建具３の木口面に取り付けられる指詰め防止パッキン６の取付の支障にならず、木製建具３の安全性の向上を図ることができる。
【００２０】
ところで、この実施例においては、振れ止め部材４を、木製建具３の竪材３１の上下両端に固定するようにしたが、この実施例のように、木製建具３が木製建具３の横材３２に配設した戸車７によって実質的に振れ止めされるような場合には、下側の振れ止め部材４を省略することもできる。
【００２１】
また、振れ止め部材４は、本実施例に示すもののほか、図４（ａ１）及び（ｂ１）に示すように、レール１、２に嵌合する溝部として、溝幅の３つの溝部４１ａ、４１ｂ、４１ｃを備えたものとし、溝部４１ａの溝幅を、レール１、２の厚み寸法よりも、０．２〜０．８ｍｍ大きく設定する（本実施例においては、レール１、２の厚み寸法を２ｍｍ、溝部４１ａの溝幅を２．５ｍｍに設定している。）とともに、溝部４１ｂ、４１ｃの溝幅を、溝部４１ａ、４１ｂの溝幅よりも、それぞれ０．２〜０．８ｍｍ大きく設定する（本実施例においては、溝部４１ｂの溝幅を３．０ｍｍに、溝部４１ｃの溝幅を３．５ｍｍに、それぞれ設定している。）ようにしたり、振れ止め部材４の外形状を、図４（ａ２）及び（ｂ２）に示すように、六角柱状のものとしたり、図４（ａ３）及び（ｂ３）に示すように、四角柱状のものとすることができる。
【００２２】
このほか、振れ止め部材４は、その外周面に、図５（ａ）に示すように、抜け止め４３を形成したり、図５（ｂ）に示すように、雄ねじ４４を形成することにより、ビス５を省略した場合の抜け止めとすることができる。
【００２３】
以上、本発明の木製建具の振れ止め装置について、その実施例に基づいて説明したが、本発明は上記実施例に記載した構成に限定されるものではなく、その趣旨を逸脱しない範囲において適宜その構成を変更することができるものである。
【産業上の利用可能性】
【００２４】
本発明の木製建具の振れ止め装置は、製品の寸法精度が悪く、また、温度湿度の周囲環境や経年変化によって反りや歪みが生じ易い木製建具の場合であっても、十分な振れ止め効果を得られるとともに、木製建具の移動に支障を来すことのないという特性を有していることから、木製建具の振れ止め装置の用途に好適に用いることができる。
【符号の説明】
【００２５】
１  レール
２  レール
３  木製建具
４  振れ止め部材
４１ａ  溝部
４１ｂ  溝部
４１ｃ  溝部
４２  貫通孔
５  ビス
６  指詰め防止パッキン
７  戸車
【図１】
2015030980.tif 000003
【図２】
2015030980.tif 000004
【図３】
2015030980.tif 000005
【図４】
2015030980.tif 000006
【図５】
2015030980.tif 000007